(57)【要約】【課題】跳ね上げ式メモ台に作用する摩擦力の製品毎のばらつきを無くす。長期間にわたりこの摩擦力を維持する。【解決手段】メモ台１を回動可能に軸支する支軸３と、メモ台１および支持部材２のいずれか一方に固着された支軸３の軸受４（５）と、メモ台１および支持部材２のうち支軸３または軸受４（５）が固着されていない側の部材とこの支軸３または軸受４（５）との間に押圧された状態で介在し支軸３または軸受４（５）の外周面に摺接してメモ台１と支持部材２との間に摩擦を生じさせる摩擦力付与部材６とを備える。【選択図】        図１
2004194918.tif 000002
【特許請求の範囲】
【請求項１】
跳ね上げ式のメモ台を支持部材上で回動可能に支持するためのメモ台の支持構造において、前記メモ台を回動可能に軸支する支軸と、前記メモ台および前記支持部材のいずれか一方に固着された前記支軸の軸受と、前記メモ台および前記支持部材のうち前記支軸または軸受が固着されていない側の部材とこの支軸または軸受との間に押圧された状態で介在し前記支軸または軸受の外周面に摺接して前記メモ台と前記支持部材との間に摩擦を生じさせる摩擦力付与部材とを備えることを特徴とするメモ台の支持構造。
【請求項２】
前記摩擦力付与部材を前記支軸または軸受の軸方向に長い帯状の部材としたことを特徴とする請求項１記載のメモ台の支持構造。
【請求項３】
前記摩擦力付与部材を前記支軸または軸受の周方向に広い幅広形状としたことを特徴とする請求項１記載のメモ台の支持構造。
【請求項４】
前記摩擦力付与部材の表面に凹凸を設けるとともに、前記支軸または軸受にこの凹凸に嵌り込む係合突起を設けたことを特徴とする請求項１記載のメモ台の支持構造。
【請求項５】
前記摩擦力付与部材として樹脂成形品を用いていることを特徴とする請求項１記載のメモ台の支持構造。
【発明の詳細な説明】
【０００１】
【発明の属する技術分野】
本発明は、メモ台の支持構造に関する。さらに詳述すると、本発明は例えば椅子の脇等に設けられた支持部材で跳ね上げ式のメモ台を回動可能に支持するための支持構造の改良に関する。
【０００２】
【従来の技術】
会議や打合せに使用される椅子として、必要時のみ座の上方に位置させ着座等するときには起こすことのできる跳ね上げ式のメモ台が例えば肘掛けなど椅子の脇の部分に設けられているものがある。例えば図１８、図１９に示す椅子１０１は、向かって左側のフレーム１０４上に、座１０２の上方に略水平に保持される使用位置と、座１０２より外側に傾斜状態に保持されるスタック位置と、略垂直に保持される起立位置とに回動可能に支持されたメモ台１０３を有している（特許文献１参照）。メモ台１０３を回動自在に支持するための取付機構１０５は、例えば、メモ台１０３の回動に伴って相対移動する一対の端面と、これら端面の一方に設けられた凸部分と、他方に設けられた凹部分と、凸部分が凹部分に係合し得る方向に弾性力を付与する付勢部材とを具備し、起立位置で凸部分を凹部分に係合させることによりメモ台１０３を起立位置に保持するようにしている。
【０００３】
このような跳ね上げ式構造とされている場合、メモ台１０３は上述の３位置（使用位置、スタック位置および起立位置）においてはその状態で保持されるが、各位置の間では自由に移動することが可能であることから、メモ台１０３に作用する摩擦抵抗が小さいとメモ台１０３が例えば使用位置まで不意に勢いよく倒れる場合があり、大きな音を立てたり破損を招いたりするおそれがある。そこで、メモ台１０３に対し適当な摩擦力を付与して回動時に動きを制動し、更には回動途中の任意角度で手を離せばその角度が保持できるようにするための支持構造が考案されている。このような支持構造の一例としては、メモ台１０３とともに回動するパイプ状軸受の前後開口端と、支持部材の前後に配置されている固定的な軸受の開口端との間に例えばプラスチック製ブシュを挟み入れ、これらブシュをメモ台１０３側の軸受を挟み込むように締め付けることによってメモ台１０３に対し適度な摩擦力を付与するものがある。
【０００４】
【特許文献１】
特開平７−１８４７３７号公報
【０００５】
【発明が解決しようとする課題】
しかしながら、このような支持構造の場合、各椅子にメモ台１０３を取り付ける毎に手作業によるブシュの締め付け調整が必要となることから、たとえ同じ作業者であっても締め付け力にばらつきが生じ、異なる作業者であれば更に大きなばらつきが生じてしまうという問題がある。この場合、製品毎のメモ台１０３に作用する摩擦力が均一となり難い。
【０００６】
また、このようにブシュを軸方向に押し付けることによって摩擦力を得る構造の場合、軸受が繰り返し回動するうちに徐々に軸方向の緩みが生じやすく、一定の摩擦力が保持され難いという問題もある。しかも、パイプの端面という薄くて面積の小さい部位にブシュを押し付けて摩擦力を得ているため、使用するにつれてブシュが摩耗してしまいやすい。
【０００７】
そこで、本発明は、跳ね上げ式メモ台に作用する摩擦力の製品毎のばらつきを無くすことができ、かつ長期間にわたってこの摩擦力を維持することができるメモ台の支持構造を提供することを目的とする。
【０００８】
【課題を解決するための手段】
かかる目的を達成するため、請求項１記載の発明は、跳ね上げ式のメモ台を支持部材上で回動可能に支持するためのメモ台の支持構造において、メモ台を回動可能に軸支する支軸と、メモ台および支持部材のいずれか一方に固着された支軸の軸受と、メモ台および支持部材のうち支軸または軸受が固着されていない側の部材とこの支軸または軸受との間に押圧された状態で介在し支軸または軸受の外周面に摺接してメモ台と支持部材との間に摩擦を生じさせる摩擦力付与部材とを備えることを特徴とするものである。
【０００９】
本発明においては、支軸や軸受によっていわゆるヒンジ構造を構成し、これによってメモ台を跳ね上げるように回動可能に支持している。そして、摩擦力付与部材を支軸または軸受の外周面に摺接させ、必要な摩擦力を生じさせるための反発力がこれら支軸等に対し軸方向にではなくラジアル方向に作用するようにしている。このように摩擦力付与部材の反発による押圧力を支軸等の外周面からラジアル方向に向かうように作用させる場合、支軸等がパイプ状であるか否かにかかわらず広域な接触領域において分散して摩擦を生じさせることができる。このため、支軸等が繰り返し回動しても摩擦力付与部材の摩耗や変形が生じにくい。また、軸方向に押圧する構造におけるような軸方向への緩みも少ない。
【００１０】
しかもこのような支持構造とした場合、支軸等を介してメモ台に作用する摩擦力は、摩擦力付与部材の材質や大きさ等、支軸または軸受の材質や形状等、更には摩擦力付与部材の介在スペースの大きさ等、支持構造の仕様によってほぼ画一的に定まる。加えて、従来のような軸方向への締め付け調整も必要ない。
【００１１】
このような支持構造においては、請求項２記載の発明のように、摩擦力付与部材を支軸または軸受の軸方向に長い帯状の部材としていることが好ましい。こうした場合、摩擦力付与部材が支軸等から受ける力が分散されて圧力が減少するため摩擦力付与部材の摩耗や変形が少なくなり摩擦力の変動が抑えやすくなる。
【００１２】
また、この支持構造においては、請求項３記載の発明のように、摩擦力付与部材を支軸または軸受の周方向に広い幅広形状としていることが好ましい。こうした場合にも、摩擦力付与部材が支軸等から受ける力が分散されて圧力が減少するため摩擦力付与部材の摩耗や変形が少なくなり摩擦力の変動が抑えやすくなる。
【００１３】
また、請求項４記載の発明のように、摩擦力付与部材の表面に凹凸を設けるとともに、支軸または軸受にこの凹凸に嵌り込む係合突起を設けていることも好ましい。こうした場合、支軸等または摩擦力付与部材を段階的に回動させることができる。
【００１４】
さらには、請求項５記載の発明のように、摩擦力付与部材として樹脂成形品を用いていることも好ましい。この場合、部材の形状や大きさを均一化しやすく、安価である。また、摩擦力付与部材を型成形することで同一形状のものが得られることから、メモ台の製品間でばらつきの無い同一の摩擦力が得られる。また、樹脂品であれば型成形が容易であり、カッターや鋏（はさみ）等でカットすることも可能となるので摩擦力を容易に変更できるようになる。
【００１５】
【発明の実施の形態】
以下、本発明の構成を図面に示す実施の形態の一例に基づいて詳細に説明する。
【００１６】
図１〜図９に、本発明の一実施形態を示す。本発明のメモ台の支持構造は、支軸３や軸受等で構成されるヒンジ機構を用いて跳ね上げ式のメモ台１を支持部材２上で回動可能に支持するため構造である。以下に示す実施形態では、会議や打合せ等に使用される椅子１８（図６〜図９参照）であって跳ね上げ式のメモ台１を備えたものに本発明を適用した場合について説明する。
【００１７】
本実施形態の椅子１８は、４本の脚１９、これら脚１９を繋ぐ前後の横フレーム２０、座２１、背凭れ２２等によって構成されている。この椅子１８の前側に位置する横フレーム２０のうち着座者の右側に向かって延長された部分は上方に向かって折り曲げられた支持アーム９とされ、跳ね上げ式のメモ台１を支持している（図６等参照）。背凭れ２２の左右には着座者が肘を掛けることができる狭小な肘掛け２３が設けられている。この肘掛け２３とメモ台１は、着座者が右肘を肘掛け２３に乗せた状態でメモ書きをしやすいようにほぼ同じ高さとされている（図８参照）。
【００１８】
支持アーム９の上端にはメモ台１を回動可能に支持するための支持部材２が設けられている（図１参照）。例えば本実施形態の支持部材２は、両端面を前後方向に向けて支持アーム９上に固着された左右に広い長円パイプ状の台受け部材１０と、この台受け部材１０の外側（本実施形態の場合、着座者からみて右側）に溶接等によって固着された円筒形状の支持部材側軸受４とによって構成されている（図２参照）。台受け部材１０をこのように左右に広い形状とした場合、メモ台１から受ける力をより広い面で分散して安定した状態で支持することが可能となる。台受け部材１０の前後両端には、美感を向上させ尚かつ鋭い端面を覆って安全性を高める一対の脚先キャップ１１が嵌め込まれる（図１参照）。また、台受け部材１０の上面にはメモ台１を倒す際の衝撃を緩和するとともに台受け部材１０上面や天板受け１４が傷付くのを防止する保護シート等の緩衝材１２が設けられている。
【００１９】
支軸３はメモ台１を回動可能に軸支するための丸軸で、メモ台１を回転可能な状態で支持するのに十分な長さを有し、支持部材側軸受４によって回転可能あるいは回転不可能な状態で支持されている。特に図示していないが、本実施形態では支軸３の一端または両端にローレット掛け部分を設け、メモ台側軸受５に圧入することで支軸３が固定されるようにしている。ただし、このようローレット掛けする代わりに、例えば止め輪などの抜け止めを装着することができるように溝などを備えた形状とし、支軸３を支持部材側軸受４へ嵌め込んだ後に抜け止めできるようにしてもよい。
【００２０】
メモ台１は、天板１３とこの天板１３を支持する板状の天板受け１４とから構成されている。天板１３は例えば４本のねじによって天板受け１４に取り付けられている。また、天板受け１４はその端部に設けられたメモ台側軸受５を介して支軸３により回動可能に支持されている。メモ台側軸受５は、例えば天板受け１４のうち被支持側の両隅の帯状部を内側に巻き込むようにすることによって形成することができるが、別部材の筒体をこの天板受け１４に固着して形成しても構わない。メモ台側軸受５は、上述の支持部材側軸受４を挟み込むように椅子１８の前後方向に２箇所設けられている。また、天板受け１４の被支持側端部のうち前後のメモ台側軸受５に挟まれた部分は、天板受け１４の裏面に向けてほぼ垂直に折り曲げられた折曲部１５とされている（図２、図３参照）。
【００２１】
また、メモ台１と支持部材２の間には、これら両部材の間に摩擦を生じさせメモ台１の回動時の動きを制動する摩擦力付与部材６が設けられている。この場合、回動途中の任意角度でメモ台１から手を離してもその角度を保持する程度の摩擦力を付与すれば、回動途中のメモ台１が不意に倒れることがなくなり操作しやすくなる。本実施形態では、この摩擦力付与部材６を天板受け１４に設けられた折曲部１５の内側の隅と支持部材側軸受４との間のスペースに押圧された状態で介在させることによってこのメモ台１と支持部材２との間に摩擦を生じさせるようにしている（図３〜図５参照）。この場合の摩擦力付与部材６は常に折曲部１５によって形成された隅に位置しており、メモ台１が回動した場合には支持部材側軸受４の外周面に摺接しながらこのメモ台１とともに回動する。
【００２２】
このような摩擦力付与部材６としては、支持部材側軸受４の周面とできるだけ広い接触面積を有するように、支持部材側軸受４と摺接する部分がこの支持部材側軸受４の周方向に広い幅広形状とされているものが好ましい。こうした場合、この摩擦力付与部材６が支持部材側軸受４から受ける押圧力が分散されて圧力が減少するため摩擦力付与部材６の摩耗や変形が少なくなり摩擦力の変動が抑えやすくなる。例えば本実施形態ではこの摩擦力付与部材６を断面略三角形状の無垢の棒材（三角棒）とした上で斜辺（斜面）を支持部材側軸受４の周面と摺接させるようにして接触面積が広くなるようにしている（図３、図４参照）。さらに、この摩擦力付与部材６は支持部材側軸受４の軸方向に長い帯状に形成されていることが好ましい。こうした場合、上述の場合と同様、摩擦力付与部材６が支持部材側軸受４から受ける押圧力が分散されて圧力が減少するため摩擦力付与部材６の摩耗や変形が少なくなり摩擦力の変動が抑えやすくなる。例えば本実施形態ではこの摩擦力付与部材６を支持部材側軸受４の軸方向長さより僅かに短い程度の長さとしている（図１参照）。
【００２３】
また、摩擦力付与部材６としては、天板受け１４と支持部材側軸受４との間に押圧された状態で介在した場合に支持部材側軸受４の周面との間で適度な滑り摩擦を生じさせるものであって尚かつ摩耗や経年劣化が少ない材質によって形成されたものが好ましい。このような材質としてはＰＯＭ（ポリアセタール）などのエンジニアリングプラスチック、より具体的には強度に優れ軽くて吸水性の少ないＰＰ（ポリプロピレン）などがある。また、使用に伴う摩耗および支持部材側軸受４との摺動性が大きな問題とならない場合には、例えばゴム製とするなど弾性を有する材質によって形成することもできる。
【００２４】
メモ台１の支持構造を以上のような構成とした場合、メモ台１は以下のようにして椅子１８に組み付けられる。すなわち、まず天板受け１４のコーナ部分すなわち一対のメモ台側軸受５の間のコーナに摩擦力付与部材６を設置してから、天板受け１４のメモ台側軸受５を支持部材側軸受４を挟み込むようにその両端に位置させる。ここで、摩擦力付与部材６が押圧されるようにメモ台１に力を加えてメモ台側軸受５の中心を支持部材側軸受４の中心に一致させた状態でメモ台側軸受５の一方の端部から支軸３を差し込み両軸受４，５を貫通させる。このようにメモ台側軸受５および支持部材側軸受４に支軸３を貫通させた後は、たとえ作業者が手を放したとしてもメモ台１は落下することなく支持部材２によって支持されている。本実施形態の場合には支軸３の端部にローレット掛けを施しているので、この後、支軸３をメモ台側軸受５にハンマーなどで叩き込み圧入することで固定できる。なお、場合によっては支軸３の端部等に止め輪を嵌めるなど必要な抜け止めを設けてもよい。また、必要に応じて台受け部材１０の両端の開口部に脚先キャップ１１を嵌め込む。
【００２５】
このような構成のメモ台１の支持構造によれば、メモ台１を椅子１８に組み付ける際においては、メモ台１に力を加えながらメモ台側軸受５と支持部材側軸受４の軸合わせをした状態で支軸３を通過させる以外には特に手間がかからず、締め付け調整も必要ないことから作業者にとっての組み付け作業が簡単で楽なものになる。しかも、このような構造の場合、メモ台１に作用する摩擦力は摩擦力付与部材６の材質、大きさ、形状、表面処理、支持部材側軸受４の材質、形状、表面処理、支持部材側軸受４と天板受け１４との間のスペースの大きさ等によってほぼ画一的に定まり、従来のような締め付け調整も必要ないため作業者が熟練しているか否かに関わらず同様の摩擦力を有する製品を大量に生産することが可能となる。したがって、従来はばらつきが生じていた摩擦力をほぼ均一に保つようにして品質が一定の製品を大量に生産することが可能となる。
【００２６】
加えてこの支持構造においては、支持部材側軸受４の周面に比較的広い接触面積で摩擦力付与部材６を径方向に押し付ける構造であるため、メモ台１を繰り返し回動させたとしても摩擦力付与部材６の摩耗や変形が生じ難い。このため、長期間使用しても摩擦力が徐々に劣化するような問題が生じ難く、ほぼ一定の摩擦力を保つことによって支持構造としての品質が維持されやすい。
【００２７】
なお、上述の実施形態は本発明の好適な実施の一例ではあるがこれに限定されるものではなく本発明の要旨を逸脱しない範囲において種々変形実施可能である。例えば、本実施形態では支持部材２に固着された支持部材側軸受４とこの支持部材側軸受４の周りを回動可能なメモ台１との間に摩擦力付与部材６を介在させたが、これとは逆に、メモ台１に固着されたメモ台側軸受５と支持部材２との間に摩擦力付与部材６を介在させることも可能である（図１０〜図１２参照）。この場合、支持アーム９の上端には例えば矩形の板状部材が固着され台受け部材１０として用いられ（図１２参照）、この台受け部材１０の外側には円筒形状の支持部材側軸受４が溶接等によって固着される。ただし、この場合における支持部材側軸受４は例えば前後２箇所に分割され同軸上に配置された２個の円筒形状部材によって構成される（図１２参照）。また、板状の台受け部材１０のうちこれら２箇所の支持部材側軸受４によって挟まれた部分は、上方に向けてほぼ垂直に折り曲げられた折曲部１５とされる（図１２参照）。台受け部材１０の上面にはメモ台１を倒す際の衝撃を緩和するとともに台受け部材１０の上面や天板受け１４が傷付くのを防止する保護シート等の緩衝材１２が必要に応じて設けられる。一方、メモ台側軸受５は、例えば一本の円筒形状部材がメモ台１の縁部の中央に固着されることによって構成される（図１１参照）。このメモ台側軸受５の軸方向長さは上述の２箇所の支持部材側軸受４間に収まる長さである。そして、メモ台１と支持部材２の間には、これら両部材の間に摩擦を生じさせメモ台１の回動時の動きを制動する摩擦力付与部材６が設けられる。より具体的に説明すると、摩擦力付与部材６は、台受け部材１０に設けられた折曲部１５の内側の隅とメモ台側軸受５との間のスペースに押圧された状態で介在することによってこのメモ台１と支持部材２との間に摩擦を生じさせる（図１０〜図１２参照）。この場合、折曲部１５の内側の隅に位置する摩擦力付与部材６は、上述した実施形態のように移動（回動）することなくその位置に留まっており、メモ台１が回動した場合、このメモ台１とともに回動する支持部材側軸受４の外周面と摺接する。
【００２８】
なお、上述した実施形態においては、軸受（支持部材側軸受４、またはメモ台側軸受５）に摩擦力付与部材６を接触させて摩擦を与えるようにしているが、摩擦力付与部材６が接触する部材は軸受に限らない。一例を示すと、例えば支軸３が片持ち又は両持ちあるいはこれ以外の形態によってメモ台１と一体化されてこのメモ台１と一体的に回動するようになっている場合には、この支軸３の露出面と支持部材２との間に摩擦力付与部材６を介在させ、回動する支軸３に対して摩擦力を付与するようにしてもよい（図１３参照）。こうした場合、回動するメモ台１に対し、支軸３を介して上述した実施形態と同様に摩擦抵抗を受ける。ヒンジを構成する一対の軸受４，５を連結する支軸３の一部を露出させ、例えば支持部材側軸受４を２分割してそれらの間で支軸３を露出させて摩擦力付与部材６を押しつけるようにしても良い。
【００２９】
要するに、本発明は、支軸３や軸受４，５によってメモ台１を跳ね上げ可能とするヒンジ構造を構成し、それらのうちメモ台１を回動させた場合にこのメモ台１とともに動く部分と固定的であってメモ台１を動かしても動かない部分との間に摩擦力付与部材６を挟み込み、相対的に動く部材を介してメモ台１に摩擦力を与えるようにした点に特徴を有するものであるから、このような特徴を有し同様の作用を奏する限り、摩擦力付与部材６が摺接する部材は支軸３や軸受４，５のいずれかに限定されることはない。
【００３０】
また、上述した実施形態においては摩擦力付与部材６を無垢の棒材（三角棒）としたが、例えば図１４に示すように断面略三角のパイプ形状とするなど中空状の部材とすることもできる。こうした場合、部材自体が径方向へより撓るようになることから、摩擦力付与部材６をあたかも弾性を有する部材のように用いることができる。また、摩擦力付与部材６のうち斜辺（斜面）が撓ることにより、この摩擦力付与部材６と支軸３（あるいは軸受４，５）との接触面積がより広がり、より広い接触領域で分散した状態で力が作用するようになる。
【００３１】
また、上述した実施形態においては、支軸３（あるいは軸受４，５）の表面と、これら支軸３等が押し付けられる摩擦力付与部材６の接触面とを共に凹凸のない曲面あるいは平滑面とすることによってメモ台１の傾きを無段階に変えられるようにしているが、更にこれら接触面に凹凸や突起を付してメモ台１の傾きを段階的に変えるようにしてもよい。例えば、図１５に示すように中空状の摩擦力付与部材６のうち支軸３と接触する表面に軸方向へ延びる凹凸７を設けるとともに、支軸３（あるいは軸受４，５）の周面にこの凹凸７に嵌る係合突起８を設けるようにすることで、凹凸７が設けられている範囲内において支軸３（あるいは軸受４，５）を段階的に回動させることができる。これにより、メモ台１の傾きを変える際、傾きが段階的に変わるようになる。また、このようにメモ台１の傾きを変える途中、係合突起８が凹凸７を乗り越えることによっていわゆるクリック感が得られる。
【００３２】
また、上述した実施形態では単一の摩擦力付与部材６が設置されていたがこの摩擦力付与部材６は必要に応じて分割されていてもよい。例えば、支持部材側軸受４またはメモ台側軸受５が軸方向に２つあるいはそれより多く分割されている場合、これら分割された個々の軸受に応じて摩擦力付与部材６を設置するようにして摩擦力を軸方向に分散させることができる。あるいは、支持部材側軸受４やメモ台側軸受５が軸方向に分割されていない場合であっても摩擦力付与部材６を軸方向に分割して配置するようにしてもよい。例えば、本実施形態では摩擦力付与部材６を軸方向長さ６ｃｍ程度の単一部材としたが、これより短い長さ例えば１ｃｍ程度に分割することによって使用者の要望に細やかに応じることが可能となる。具体的には、例えば摩擦力を減らしたい場合であればこれら１ｃｍ程度の摩擦力付与部材６の小片を２〜３個程度に減らしたり、摩擦力を増やしたい場合であれば７〜８個程度に増やしたりするなど適宜変更することによって摩擦力を変えることができる。また、軸方向に長いメモ台１、あるいはよりサイズの大きい天板１３等である場合にも、これら小片を多数個設置することによって所望の摩擦力を得ることが可能である。加えて、摩擦力付与部材６が軸方向に分割されている場合には、折曲部１５の内側の隅に位置する範囲内でできるだけ離して設置することが好ましい。こうした場合には、天板１３のがたつき、捻（ひね）り、拗（こじ）れ等の動きが抑えやすくなる（図１６参照）。
【００３３】
さらに、上述した実施形態では、天板受け１４の端部あるいは台受け部材１０の端部を折り曲げ、折曲部１５の内側の隅に摩擦力付与部材６を配置するようにしたが（図３等参照）、これは摩擦力付与部材６を動かないように配置するための好適な一例に過ぎず、このように隅に配置する場合に限られない。例えば、これらのような隅が形成されていない場合であっても、摩擦力付与部材６を固定するための突起１７（図１７参照）、あるいは特に図示しないが凹部を設け、これらによって摩擦力付与部材６を所定位置に保持して所定の摩擦力を付与することもできる。
【００３４】
なお、上述した実施形態では着座者からみて椅子１８の右側にメモ台１を設置した場合を説明したが、対称な構成とすることにより椅子１８の左側に設置することもできることはいうまでもない。
【００３５】
【発明の効果】
以上の説明より明らかなように、請求項１記載のメモ台の支持構造によると、摩擦力付与部材を支軸または軸受の外周面に摺接させ、必要な摩擦力を生じさせるための反発力をこれら支軸等に対しラジアル方向に作用させているので、支軸等がパイプ状であるか否かにかかわらず広域な接触領域において分散して摩擦を生じさせることができる。このため、支軸等が繰り返し回動しても摩擦力付与部材の摩耗や変形が生じにくい。また、軸方向に押圧する構造におけるような軸方向への緩みも無縁である。したがってこの支持構造によれば、支軸等の動きを制動しまたは静止状態を維持するための摩擦を生じさせるとともに、この摩擦力を長期間にわたって維持することができる。
【００３６】
しかもこのような支持構造とした場合、支軸等を介してメモ台に作用する摩擦力が支持構造の仕様によってほぼ画一的に定まる。したがって、メモ台に作用する摩擦力の製品毎のばらつきを無くすことが可能となる。また、従来のような軸方向への締め付け調整も必要ない。
【００３７】
請求項２記載のメモ台の支持構造によると、摩擦力付与部材を支軸等の軸方向に長い帯状とし、摩耗や変形を少なくしているので摩擦力の変動を抑えやすい。
【００３８】
また、請求項３記載のメモ台の支持構造によると、摩擦力付与部材を支軸等の周方向に広い幅広形状とし、摩耗や変形を少なくしているので摩擦力の変動を抑えやすい。
【００３９】
また、請求項４記載のメモ台の支持構造によると、凹凸と係合突起により支軸等または摩擦力付与部材を段階的に回動させることができる。したがって、メモ台の傾きを変える際に傾きを段階的に変えることが可能となる
【００４０】
さらに請求項５記載のメモ台の支持構造によると、摩擦力付与部材として樹脂成形品を用いているため部材の形状や大きさを均一化しやすく、かつ安価とすることができる。また、摩擦力付与部材を型成形することで同一形状のものが得られることから、メモ台の製品間でばらつきの無い同一の摩擦力が得られる。また、樹脂品であれば型成形が容易であり、カッターや鋏（はさみ）等でカットすることも可能となるので摩擦力を容易に変更できるようになる。
【図面の簡単な説明】
【図１】本発明にかかるメモ台の支持構造を示す分解した状態での斜視図である。
【図２】支持部材の構造を部分的に示す正面図である。
【図３】支持部材および回動可能に支持される天板受け等を示す正面図である。
【図４】メモ台の天板受けと支持部材側軸受、およびこれらの間に介在する摩擦力付与部材を示す概略図である。
【図５】図４における摩擦力付与部材が押圧された状態を示す概略図である。
【図６】本発明が適用された椅子の正面図である。
【図７】椅子の平面図である。
【図８】椅子の左側面図である。
【図９】椅子の背面図である。
【図１０】本発明の他の実施形態における支持構造を示すメモ台等の斜視図である。
【図１１】メモ台の斜視図である。
【図１２】台受け部材、支軸、摩擦力付与部材の組立前の状態を示す斜視図である。
【図１３】摩擦力付与部材を支軸に摺接させる場合の構造例を示す部分断面図である。
【図１４】摩擦力付与部材を中空状とした場合の構造例を示す部分断面図である。
【図１５】摩擦力付与部材と支軸に設けられた凹凸と係合突起とを示す部分断面図である。
【図１６】分割した摩擦力付与部材を軸方向に離して設置した場合を示す斜視図である。
【図１７】摩擦力付与部材を固定するための突起を設けた例を示す図である。
【図１８】従来のメモ台の支持構造を示すメモ台付き椅子の斜視図である。
【図１９】図１８に示した椅子の部分拡大図である。
【符号の説明】
１  メモ台
２  支持部材
３  支軸
４  支持部材側軸受（軸受）
５  メモ台側軸受（軸受）
６  摩擦力付与部材
７  凹凸
８  係合突起
１８  椅子
【図１】
2004194918.tif 000003
【図２】
2004194918.tif 000004
【図３】
2004194918.tif 000005
【図４】
2004194918.tif 000006
【図５】
2004194918.tif 000007
【図６】
2004194918.tif 000008
【図７】
2004194918.tif 000009
【図８】
2004194918.tif 000010
【図９】
2004194918.tif 000011
【図１０】
2004194918.tif 000012
【図１１】
2004194918.tif 000013
【図１２】
2004194918.tif 000014
【図１３】
2004194918.tif 000015
【図１４】
2004194918.tif 000016
【図１５】
2004194918.tif 000017
【図１６】
2004194918.tif 000018
【図１７】
2004194918.tif 000019
【図１８】
2004194918.tif 000020
【図１９】
2004194918.tif 000021